(57)【要約】【課題】使用時は、十分な容量を確保でき、不使用時には、側面材の取り外し等の作業が不要で、手間なく簡単に折り畳むことができ、さらに、折り畳んだ際に車輪の汚れがバッグ内部に付着することがない、収納に便利で、衛生的な折畳みキャリーバッグを提供すること。【解決手段】上面部、正面部、底面部、背面部及び２つの側面部を有するバッグ本体からなるキャリーバッグであって、前記上面部には伸縮可能なハンドルが設けられ、前記正面部には側辺から下辺を通って対向する側辺までファスナーが設けられ、前記底面部には着脱可能なキャスターが設けられ、前記背面部には取り外した前記キャスターを収納できるキャスターポケットが備えられ、前記側面部は、中央近傍から前記背面部と接する辺までが硬い構造であり且つ中央近傍から前記正面部と接する辺までは柔らかい構造であることを特徴とするキャリーバッグを提供する。 【選択図】 図１
2017140066.tif 000002
【特許請求の範囲】
【請求項１】
上面部、正面部、底面部、背面部及び２つの側面部を有するバッグ本体からなるキャリーバッグであって、
前記上面部には伸縮可能なハンドルが設けられ、前記正面部には側辺から下辺を通って対向する側辺までファスナーが設けられ、
前記底面部には着脱可能なキャスターが設けられ、
前記背面部には取り外した前記キャスターを収納できるキャスターポケットが備えられ、
前記側面部は、中央近傍から前記背面部と接する辺までが硬い構造であり且つ中央近傍から前記正面部と接する辺までは柔らかい構造であることを特徴とするキャリーバッグ。
【請求項２】
前記バッグ本体の前記底面部は、前記バッグ本体の前記正面部に接する辺から中央までの部分と、前記中央から前記バッグ本体の背面部に接する辺までの部分とを、ヒンジ接合し折り畳み可能としたヒンジ接合折畳み構造を備えたことを特徴とする請求項１に記載のキャリーバッグ。
【発明の詳細な説明】
【技術分野】
【０００１】
本発明は、バッグ本体底面に折り畳み機構を備え、バッグ本体の両側面部の厚みを略半分に折り畳んでバッグ上下面をコンパクトに重合し、さらに、本体底面のキャスターが着脱可能で、取り外したキャスターをバッグ本体に収納可能なキャリーバッグに関する。
【背景技術】
【０００２】
従来より、底面にキャスターを備え、上部に伸縮自在のハンドルを取り付けて、移動時にはハンドルを伸長して引き動かすキャリーバッグが使用されている。キャリーバッグは、容量が大きく、多数の荷物が一度に運搬できる、バッグ自体が大きなものが多く、かさばるため、不使用は収納スペースに困ることが多い。
【０００３】
特許文献１や特許文献２のように、不使用時には、コンパクトに折り畳めるキャリーバッグも考案されている。しかし、キャリーバッグは、使用時の耐荷重を確保するため、側面や底面が頑強な素材からできているので、折り畳む際、取り外した側面プレートをキャリーバッグ内に載置したうえで折り畳む必要があり、折り畳み作業に手間がかかった。また、キャスターは、屋外の移動時には便利であるが、室内に持ち込む際は、フローリングの床を傷つける恐れがあり、更に、キャスターが突出していることで、収納の邪魔になることがあった。さらに、キャリーバッグの底面を内側に折り畳む場合、底面に取り付けられたキャスターがキャリーバッグ内側面に接することになり、キャスターについた土や汚れがキャリーバッグ内側面に付着してしまうという問題もあった。
【先行技術文献】
【特許文献】
【０００４】
【特許文献１】特開２００６−２１８１４５
【特許文献２】特開２０１５−１３６４７２
【発明の概要】
【発明が解決しようとする課題】
【０００５】
そこで、この発明の目的は、使用時は、十分な容量を確保でき、不使用時には、バッグ上下面を重合し、バッグ両側面部の厚みを略半分に折り畳んでコンパクトにでき、さらに、折り畳んだ際に車輪の汚れがバッグ内部に付着することがない、収納に便利かつ衛生的なキャリーバッグを提供する。
【課題を解決するための手段】
【０００６】
この発明のキャリーバッグは、上面部、正面部、底面部、背面部及び２つの側面部を有するバッグ本体からなるキャリーバッグであって、前記上面部には伸縮可能なハンドルが設けられ、前記正面部には側辺から下辺を通って対向する側辺までファスナーが設けられ、前記底面部には着脱可能なキャスターが設けられ、前記背面部には取り外した前記キャスターを収納できるキャスターポケットが備えられ、前記側面部は、中央近傍から前記背面部と接する辺までが硬い構造であり且つ中央近傍から前記正面部と接する辺までは柔らかい構造であることを特徴とする。
【０００７】
この発明によれば、使用時は、十分な容量を確保でき、不使用時には、バッグ上下面を重合し、バッグ両側面部の厚みを略半分に折り畳んでコンパクトにできる。中央線から前記背面部と接する辺までは硬い素材からなり且つ中央線から前記正面部と接する辺までは柔軟性ある素材からなる側面部が備えられていることで、不使用時は、側面部の硬い素材からなる部分の内側に、側面部の柔軟性ある部分を折りこみ、側面部の面積を半分にすることができる。したがって、キャリーバッグの正面部と背面部を、を重合させ、薄くコンパクトにして収納することができ、不使用時の収納が容易になる。
【０００８】
また、この発明のキャリーバッグの前記底面部は、前記バッグ本体の前記正面部に接する辺から中央までの部分と、前記中央から前記バッグ本体の前記背面部に接する辺までの部分とを、ヒンジ接合し折り畳み可能としたヒンジ接合折畳み構造を備えたことを特徴とする。
【０００９】
この発明によれば、ヒンジ接合された前記正面部に接する辺から中央までの部分と、前記中央から前記背面部に接する辺までの部分とを折り畳むことにより、底面部の面積が少なくなり、キャリーバッグをコンパクトにすることができるので、不使用時に収納スペースが少なく済む。また、部材を取りはずしたりする作業が不要なため、折り畳み作業が簡単であって、部材を紛失する心配がない。
【図面の簡単な説明】
【００１０】
【図１】（ａ）は、この発明の実施の形態１にかかるキャリーバッグ１００の斜視図であって、（ｂ）は図１（ａ）に示したキャリーバッグ１００のハンドルを伸張した状態を示す斜視図である。
【図２】（ａ）は、図１（ａ）に示したキャリーバッグ１００を反対方向から見た斜視図であって、（ｂ）は、図１（ａ）に示したキャリーバッグ１００の開閉可能な正面部を開けた状態を示す参考斜視図である。
【図３】（ａ）は、図１（ａ）に示したキャリーバッグ１００のキャスター取り外し方法を説明する参考斜視図であって（ｂ）は、キャリーバッグ１００のキャスターを示す斜視図である。
【図４】（ａ）は、図１（ａ）に示したキャリーバッグ１００の背面図であって、（ｂ）は、図１（ａ）に示したキャリーバッグ１００の背面部にあるキャスターポケットを説明するための参考背面図である。
【図５】図１（ａ）に示したキャリーバッグ１００を折り畳む手順を説明する参考側面図である。
【図６】図４（ａ）に示したキャリーバッグ１００を折り畳む手順を説明するＢ−Ｂ断面図である。
【図７】（ａ）は、図１（ａ）に示したキャリーバッグ１００の上面図であって、（ｂ）は、図１（ａ）に示したキャリーバッグ１００を折り畳んだ状態を示す上面図である。
【図８】（ａ）は、、図１（ａ）に示したキャリーバッグ１００の底面図であって、（ｂ）は、図１（ａ）に示したキャリーバッグ１００を折り畳んだ状態を示す底面図である。
【発明を実施するための形態】
【００１１】
（実施の形態１）
図１（ａ）は、この発明の実施の形態１にかかるキャリーバッグ１００の斜視図であって、（ｂ）は図１（ａ）に示したキャリーバッグ１００の伸縮ハンドル１１を伸張した状態を示す斜視図である。図２（ａ）は、図１（ａ）に示したキャリーバッグ１００を反対方向から見た斜視図であって、（ｂ）は、図１（ａ）に示したキャリーバッグ１００の開閉可能な正面部２を開けた状態を示す参考斜視図である。
【００１２】
本発明のキャリーバッグ１００は、図１（ａ）示すように、上面部１、正面部２、底面部３、背面部４及び２つの側面部５を有するバッグ本体Ａからなる。上面部１には伸縮可能なハンドル１１が設けられ、正面部２には側辺から下辺を通って対向する側辺までファスナー２１が設けられ、前記底面部３には着脱可能なキャスター３１３が設けられ、前記背面部３には取り外した前記キャスター３１を収納できるキャスターポケット４１が備えられ、前記側面部５は、中央近傍から前記背面部４と接する辺までが硬い構造であり且つ中央近傍から前記正面部と接する辺までは柔らかい構造である。
【００１３】
キャリーバッグ１００のバッグ本体Ａの素材について、上面部１、正面部２、底面部３、背面部４及び側面部５は、布やレザー、ビニール素材の生地で形成されている。また、上面部１、正面部２、底面部３、背面部４及び側面部５は、内側を、部分的に芯材で補強されている。芯材は、上面部１、底面部３及び側面部５の、それぞれ、背面部４に接する辺から中央近傍までの部分に入れられている。上面部１、底面部３及び側面部５の中央近傍から正面部２に接する辺までは、芯材が入っておらず、布やレザー、ビニール素材の生地のみであるため柔軟性を有する。キャリーバッグ１００は、部分的に芯材が用いられていることによって、強度を担保しつつ、不使用時にはコンパクトに折り畳める機能を有する。キャリーバッグ１００の不使用時は、芯材が入っていない部分を芯材が入っている部分の中に折りこむようにして折り畳み、コンパクトにして収納できるようになっている。
【００１４】
キャリーバッグ１００のバッグ本体Ａの上面部１にはキャリーバッグ１００を持って運ぶための持ち手１１と、キャリーバッグ１００を引き動かす際に使用する伸縮可能な伸縮ハンドル１１が設けられている。伸縮ハンドル１１は、図１（ｂ）のように伸張させ、キャリーバッグ１００を引き動かす際に使用する。伸縮ハンドル１１の二本の支柱は、不使用時、背面部４の内側に収納されるようになっている。
【００１５】
図２（ａ）に示すように、キャリーバッグ１００のバッグ本体Ａの正面部２は、略長方形であって、上辺２２から右側辺２３を通って下辺２４までの三辺に沿ってファスナー２１が設けられ、開閉可能となっている。ファスナー２１を開けると、図２（ｂ）に示すように、正面部２が開く。正面部２のファスナー２１は、キャリーバッグ１００の使用時には、任意の場所を開いて、荷物も出し入れを行う。ファスナー２１は、両側から開閉でき、また、任意の場所を部分的に開閉できるので、荷物の出し入れが容易である。キャリーバッグ１００を使わないときは、ファスナー２１をすべて開けると、上辺２２、右側辺２３及び下辺２４の三辺を開くことができるので、折り畳みやすい。キャリーバッグ１００不使用時の折り畳み方法は、後述する。
【００１６】
図３（ａ）は、図１（ａ）に示したキャリーバッグ１００のキャスター３１の取り外し方法を説明する参考斜視図であって（ｂ）は、キャリーバッグ１００のキャスター３１を示す斜視図である。図４（ａ）は、図１（ａ）に示したキャリーバッグ１００の背面図であって、（ｂ）は、図１（ａ）に示したキャリーバッグ１００の背面部にあるキャスターポケット４１を説明するための参考背面図である。
【００１７】
図３（ａ）に示すように、キャリーバッグ１００のバッグ本体Ａの底面部３のキャスター３１は、着脱可能となっている。図３（ｂ）に示すように、キャスター３１には、上部に取付部３１ａが設けられており下部に車輪３１ｂが回転可能に取り付けられている。取付部３１ａは、キャスター取付台３２のキャスター取付孔３２ａに嵌合可能な突起であり、キャスター取付孔３２ａに嵌めてキャスター３１をキャスター取付台３２に装着する。
【００１８】
キャリーバッグ１００のバッグ本体Ａの背面部４には、キャスターポケット４１が設けられており、取り外したキャスター３１と、予備のキャスター３１を収納できるようになっている。伸縮ハンドル１１の二本の支柱は、不使用時は、背面部４の内部に収納されるが、キャスターポケット４１は、伸縮ハンドル１１が背面部４の内側に収納された際に二本の支柱の間に生ずる長方形状の空間に設けられている。
【００１９】
図４（ａ）に示すように、背面部４には、蓋部４２が設けられ、蓋部４２の両辺はファスナー４３が取り付けられている。ファスナー４３を開けると、図４（ｂ）に示すように、キャスターポケット４１が露出する。キャスターポケット４１は、キャスター３１が収納できるキャスター３１と略同形または若干大きめの内径を有する凹みである。キャスターポケット４１は、実施の形態１のキャスターバッグ１００では、５つ設けられている。キャスターバッグ１００の底面部３に取り付ける４つのキャスター３１と、予備のキャスター３１とを収納可能である。
【００２０】
キャスターポケット４１に設ける凹みの数は、５つに限定されることはなく、６つ以上設けてもよいし、４つ以下としてもよい。また、キャスター３１と同形の凹みではなく、略長方体の内径を備えたものとしてもよい。
【００２１】
次に、図５から図８を示しながら、キャスターバッグ１００のバッグ本体Ａを折り畳む手順について説明する。
【００２２】
図５は、図１（ａ）に示したキャリーバッグ１００のバッグ本体Ａを折り畳む手順を説明する参考側面図である。図６は、図４（ａ）に示したキャリーバッグ１００を折り畳む手順を説明するＢ−Ｂ断面図である。図７（ａ）は、図１（ａ）に示したキャリーバッグ１００の上面図であって、（ｂ）は、図１（ａ）に示したキャリーバッグ１００を折り畳んだ状態を示す上面図である。図８（ａ）は、、図１（ａ）に示したキャリーバッグ１００の底面図であって、（ｂ）は、図１（ａ）に示したキャリーバッグ１００を折り畳んだ状態を示す底面図である。
【００２３】
図５（ａ）は、キャスターバッグ１００のバッグ本体Ａの側面図である。キャスターバッグ１００のバッグ本体Ａの側面部５は、中央近傍から背面部４に接する辺までの硬材部５１と、中央近傍から正面部２に接する辺までの折り込み部５２からなる。硬材部５１と折込み部５２の面積は、折込み部５２のほうが若干大きくなっている。硬材部５１と折込み部５２の面積比率は、同程度としてもよい。硬材部５１の面積を大きくすると、キャスターバッグ１００の強度が向上し耐荷重量が増えるが、折り畳んだ際に、かさが大きくなるので、硬質部５１は、折込み部５２と同程度の面積か又は若干小さめとするのがよい。
【００２４】
キャスターバッグ１００のバッグ本体Ａは、不使用時、コンパクトに折り畳むことができる。折り畳む際は、まず最初に、正面部２の上辺２２から右側辺２３を通って下辺２４まで伸張したファスナー２１を開ける。ファスナー２１を開けると、正面部２は、左側辺２０のみが側面部５とつながった状態となり、開閉可能となる。正面部２を開き、底面部３の端を持ち、底面部３を中央部分から折って、内側に曲げ入れていく。図５（ｂ）は、底面部３を少し曲げて内側に折った状態である。底面部３の中央を折り曲げることによって、底面部３に設けられたキャスター取付台３２が上向きとなり、正面部２の裏面と接している。また、側面部５の折込み部５２は、芯材が入っていないので、硬材部５１の内側に簡単に押し入れられる。
【００２５】
そのまま、更に、正面部２の上から、手で押さえ押圧すると、底面部３の中央が更に折り曲がる。側面部５の硬材部５１の内側に折込み部５２が完全に折りこまれ、図５（ｃ）に示すように、側面部５が約半分の厚みになる。
【００２６】
図６のキャリーバッグ１００の断面図を示しながら、キャリーバッグ１００のバッグ本体Ａの内部構造について説明する。
【００２７】
図６（ａ）に示すように、キャリーバッグ１００のバッグ本体Ａの内部には、底面部３に沿って底板３３ａ、３３ｂが敷設されている。底板３３ａは、断面視、底面部３の中央より上側に設けられており、底板３３ｂは、底面部３の中央より下側に設けられている。底板３３ａと３３ｂは、互いに回転可能に取り付けられており、底板３３ａと３３ｂの境界部分で折り曲げることができる。底板３３ａの先端と、底板３３ｂの先端からは、それぞれ、細長い平板形状の金具３４ａ及び３４ｂが設けられており、金具３４ａ及び３４ｂの先端は留め具３５で回転可能に留められている。
【００２８】
図６（ａ）に示すように、留め具３５の部分を持って矢印方向に引き上げると、上に引き上げると、金具３４ａ及び３４ｂの先に設けられた底板３３ａ及び３３ｂの先端が伴って引き上げられ、図６（ｂ）に示すように、底板３３ａと３３ｂを折り畳むことができる。さほど、留め具３５を矢印方向に引き上げると、図６（ｃ）に示すように、金具３４ａ及び３４ｂが、鋭角になり、底板３３ａと３３ｂとが折り畳まれて、正面部２の下にすっぽりと収納される。
【００２９】
底面部３を折り畳みつつ、正面部２全体を上から押圧して、側面部５の折込み部５２を、硬材部５１の中に折りこむようにして、側面部５の硬材部５１の中に正面部２を入れ込むように押圧して、キャスターバッグ１００の厚みを薄くする。底面部３は、中央部分から折り畳まれて正面部２の下側に収納されるが、キャスター３１はキャスター取付台３２から先に取り外され、背面部４のキャスターポケット４１に収納されているので、キャスター３１の車輪３１ｂに付着した土等の汚れが、正面部２の内側、すなわち、キャリーバッグ１００の内部に付着することがなく、衛生的に、コンパクトに折り畳むことができる。
【００３０】
図７（ａ）に示すように、キャスターバッグ１００は、折り畳む前、すなわち、使用時は、十分な厚みをもったキャリーバッグである。持ち手１２が上面部１に設けられている。キャリーバッグ１００は、折り畳むと、図７（ｂ）に示すように、半分以下の厚みにすることができる。上面部１の背面部４に接する側から中央近傍までは、芯材が入っており、硬くなっている。上面部２の中央近傍から正面部２に接する部分までは、芯材が入っておらず、バッグ生地のみであって柔軟性がある。したがって、キャリーバッグ１００を使用しないときは、上面部２の中央近傍から正面部２に接する部分までのバッグ生地を、上面部２の芯材が入っている背面部４に近い部分に折りこむようにして、折り畳むようにすれば、キャリーバッグ１００の厚みを約半分にコンパクトにすることができる。
【００３１】
図８（ａ）に示すように、キャリーバッグ１００のバッグ本体Ａの底面部３は、略長方形であって、四隅に、それぞれ、キャスター取付台３２が設けられている。キャスター取付台３２の底面中央にはキャスター取付孔３２ａが設けられている。キャスター取付孔３２ａは、キャスター３１の取付部３１ａの突起が嵌合可能な内径を有する孔である。キャスター取付孔３２ａが設けられていることによって、キャスター３１は、着脱可能となっている。
【００３２】
キャリーバッグ１００は、本実施の形態では、上面に伸縮可能なハンドルを、底面にキャスターを備えて、引き動かして運搬できる形態としたが、上面または側面に持ち手を設け、底面または側面にキャスターを備えた大型鞄やスーツケースとしてもよい。
【００３３】
以上本発明のキャリーバッグ１００について詳細に説明したが、本発明は、上記実施形態に限定されるものではなく、本発明の要旨を逸脱しない範囲において、各種の改良や変更を行ってもよい。
【符号の説明】
【００３４】
１００  キャリーバッグ
Ａ    バッグ本体
１  上面部
１１  伸縮ハンドル
１２  持ち手
２  正面部
２０  左側辺
２１  ファスナー
２２  上辺
２３  右側辺
２４  下辺
２５  ポケット
３  底面部
３１  キャスター
３１ａ  取付部
３１ｂ  車輪
３２  キャスター取付台
３２ａ  キャスター取付孔
３３ａ、３３ｂ  底板
３４ａ、３３ｂ  金具  ３５  留め具
４  背面部
４１  キャスターポケット
４２  蓋部
４３  ファスナー
５  側面部 
５１  硬材部
５２  折込み部
【図１】
2017140066.tif 000003
【図２】
2017140066.tif 000004
【図３】
2017140066.tif 000005
【図４】
2017140066.tif 000006
【図５】
2017140066.tif 000007
【図６】
2017140066.tif 000008
【図７】
2017140066.tif 000009
【図８】
2017140066.tif 000010